(57)【要約】【課題】けらばカバーの縦被覆部の下端部を伝う雨水が地面に落ちることを防止する、屋根構造を提供する。【解決手段】屋根構造１は、屋根本体２と、屋根本体２の妻側端部を覆い屋根本体２の水下側端より水下側に突出しているけらばカバー３と、を備える。けらばカバー３は、屋根本体の妻側端部を側方から覆う外被覆部３３と、を有する。けらばカバー３は、屋根本体２の妻側端部を上方から覆う上被覆部３４と、上被覆部３４から下方に突出する縦被覆部３５と、を有する。縦被覆部３５の下端部と屋根本体２の上面の妻側端部との間には、隙間３５２が形成される。縦被覆部３５の下端部には、屋根本体２の水下側端よりも水上側でありかつ屋根本体２の屋根勾配方向の中央よりも水下側の位置に切り欠き３５１が設けられることを特徴とする。【選択図】図１
2017043925.tif 000002
【特許請求の範囲】
【請求項１】
屋根本体と、前記屋根本体の水下側端部の下側に配置される軒樋と、前記屋根本体の妻側端部を覆い前記屋根本体の水下側端より水下側に突出しているけらばカバーと、を備え、
前記けらばカバーは、前記屋根本体の妻側端部を下方から覆う下被覆部と、前記屋根本体の妻側端部を側方から覆う外被覆部と、前記屋根本体の妻側端部を上方から覆う上被覆部と、前記上被覆部から下方に突出する縦被覆部と、を有し、
前記縦被覆部の下端部と前記屋根本体の上面の妻側端部との間には、隙間が形成され、
前記縦被覆部の下端部には、前記屋根本体の水下側端よりも水上側でありかつ前記屋根本体の屋根勾配方向の中央よりも水下側の位置に切り欠きが設けられることを特徴とする屋根構造。
【請求項２】
前記屋根本体の水下側端と前記けらばカバーの水下側端との間に配置される流水受け部を備え、
前記流水受け部は、前記縦被覆部の下端部に接し、前記縦被覆部の下端部を流下する雨水を受ける受け部と、前記受け部から水上側に突出し、前記受け部で受けた雨水を前記軒樋へと流す流水部と、を有することを特徴とする請求項１に記載の屋根構造。
【発明の詳細な説明】
【技術分野】
【０００１】
本発明は、屋根構造に関する。
【背景技術】
【０００２】
従来、屋根本体と、軒樋と、屋根本体の妻側端部を覆い屋根本体の水下側端よりも水下側に突出するけらばカバーと、を備えた屋根構造が知られる（例えば特許文献１参照）。
【０００３】
けらばカバーは、屋根本体の妻側端部の側方を覆う外被覆部と、外被覆部の上端に設けられ屋根本体の妻側端部の上方を覆う上被覆部と、上被覆部から下方に突出する縦被覆部と、を有する。
【先行技術文献】
【特許文献】
【０００４】
【特許文献１】特開２０１０−２４８８１７号公報
【発明の概要】
【発明が解決しようとする課題】
【０００５】
特許文献１に記載の屋根構造では、縦被覆部の突出先端と屋根本体の上面の妻側端部との間に隙間が形成されている。
【０００６】
そのため、縦被覆部に付着し縦被覆部の下端部に流れた雨水は、縦被覆部の下端部に付着したまま水下側へと伝い、縦被覆部の水下側端から地面へと落ちてしまい易かった。
【０００７】
本発明は上記従来の問題点に鑑みて発明したものであって、その目的とするところは、けらばカバーの縦被覆部の下端部を伝う雨水が地面に落ちることを抑制する、屋根構造を提供することを課題とするものである。
【課題を解決するための手段】
【０００８】
上記課題を解決するために、本発明は、以下のような構成とする。
【０００９】
本発明の屋根構造は、屋根本体と、前記屋根本体の水下側端部の下側に配置される軒樋と、前記屋根本体の妻側端部を覆い前記屋根本体の水下側端より水下側に突出しているけらばカバーと、を備え、前記けらばカバーは、前記屋根本体の妻側端部を下方から覆う下被覆部と、前記屋根本体の妻側端部を側方から覆う外被覆部と、前記屋根本体の妻側端部を上方から覆う上被覆部と、前記上被覆部から下方に突出する縦被覆部と、を有し、前記縦被覆部の下端部と前記屋根本体の上面の妻側端部との間には、隙間が形成され、前記縦被覆部の下端部には、前記屋根本体の水下側端よりも水上側でありかつ前記屋根本体の屋根勾配方向の中央よりも水下側の位置に切り欠きが設けられることを特徴とする。
【発明の効果】
【００１０】
本発明の屋根構造では、縦被覆部の下端部を伝う雨水が地面に流下することを抑制できる。
【図面の簡単な説明】
【００１１】
【図１】図１Ａは本実施形態の屋根構造の斜視図である。図１Ｂは本実施形態の屋根構造の縦断面図である。
【図２】図２はけらばカバーに形成された切り欠き付近の縦断面図である。
【図３】図３はけらばカバーの斜視図である。
【図４】図４は本実施形態の屋根構造の正面図である。
【図５】図５Ａは雨水が切り欠きの水上側の縁まで流下した状態の概略図である。図５Ｂは雨水が縦被覆部の下端部から流下した状態の概略図である。
【図６】図６は流水受け部付近の縦断面図である。
【発明を実施するための形態】
【００１２】
以下、本発明を添付図面に示す実施形態に基いて説明する。
【００１３】
本実施形態は、屋根構造、特に屋根本体の妻側端部にけらばカバーを取り付けた屋根構造に関する。
【００１４】
本実施形態の屋根構造１は、例えば切妻屋根や片流れ屋根の屋根構造であり、特に、屋根の妻側端部の屋根構造である。屋根構造１は、図１Ａに示すように、屋根本体２と、軒樋１１と、けらばカバー３と、を備える。
【００１５】
屋根本体２は、図１Ｂに示すように、屋根下地２１、屋根材２２、のぼり木２３、破風板２４を有する。
【００１６】
屋根下地２１は、屋根材２２を建物に取付けるための基礎となる。屋根下地２１は、例えば垂木２１１、野地板２１２、下葺き材２１３及び水切り部材２１４等を有するが、屋根下地２１の構成は限定されない。
【００１７】
垂木２１１は、屋根において最も高い所に位置する棟木と最も低い所に位置する軒桁とに固定されることで傾斜している。この傾斜により屋根は傾斜し、その傾斜方向を本実施形態では屋根勾配方向とする。また、屋根勾配方向において、棟側を水上側とし、軒側を水下側とする。そして、屋根勾配方向および上下方向に直角な方向を軒方向とする。さらに、軒方向において、軒樋１１の中央に向かう方向を内向きＤ１とし、軒樋１１の中央とは反対側に向かう方向を外向きＤ２とする。
【００１８】
野地板２１２は、垂木２１１の上に配置される。野地板２１２は、薄い木板を貼り合わせた合板、または木毛や木片を圧縮成型した板材である。下葺き材２１３は、野地板２１２の上に配置される。下葺き材２１３は、例えばアスファルトルーフィングで形成される。
【００１９】
のぼり木２３は、野地板２１２の外向きＤ２側の端部の上端部に固定される。のぼり木２３は、屋根下地２１の水上側端部から水下側端部の全長に亘って設けられる。のぼり木２３は、屋根勾配方向と平行に傾斜する。
【００２０】
破風板２４は、野地板２１２の外向きＤ２側の端部の下端部に固定される。破風板２４は、屋根勾配方向に長く形成され、野地板２１２の水上側端部から水下側端部までの全長に亘って設けられる。破風板２４は、屋根勾配方向と平行に傾斜する。
【００２１】
水切り部材２１４は、図１Ｂに示すように、下葺き材２１３の上に載置される水切り板２１４ａと、水切り板２１４ａを屋根本体２の妻側端部に取り付けるための嵌め込み部２１４ｃと、を有する。
【００２２】
水切り板２１４ａには、内向きＤ１側の端部に突条２１４ｂが形成される。突条２１４ｂは２条形成されるが、その数は限定されない。また、水切り板２１４ａの内方向Ｄ１側の端部は、上側から外向きＤ２に向かって折り返される。
【００２３】
水切り部材２１４は、屋根勾配方向に長く形成され、野地板２１２の水上側端部から水下側端部までの全長に亘って設けられる。水切り部材２１４は、屋根勾配方向と平行に傾斜する。
【００２４】
屋根材２２は、屋根下地２１の上に複数取付けられることにより屋根を構成する。本実施形態の屋根材２２は、軒方向に、凹部と凸部とが繰り返し形成された凹凸屋根材となっている。そして、屋根材２２は、金属によって形成される。屋根材２２の凹部および凸部は、屋根勾配方向の全長に亘って形成される。屋根材２２の妻側端部は、上方に折り返され、さらにその先端が下方に折り返される。
【００２５】
なお、屋根材２２は、例えば断面凹凸状をしたルーフ材、折板屋根材、窯業系の平瓦であってもよい。
【００２６】
軒樋１１は、屋根材２２を流れ落ちてくる雨水を受け、雨水を排水口へと流すものである。軒樋１１は、図１Ａに示すように、軒樋本体１１１、軒樋止まり１１２を有する。
【００２７】
軒樋本体１１１は、底板、底板の前端から上方に突出する前板、底板の後端から上方に突出する後板で設けられる。ここで、軒樋本体１１１は、上方および軒方向に開口する。
【００２８】
軒樋止まり１１２は、軒樋本体１１１の軒方向の両端部に嵌め込まれる。そして、軒樋止まり１１２により、軒樋本体１１１の軒方向の開口が塞がれる。
【００２９】
けらばカバー３は、屋根本体２の妻側端部に取り付けられる部材である。本実施形態のけらばカバー３は、図１Ａに示すように、屋根本体２の妻側端部を覆うカバー本体３１を有する。また、カバー本体３１は、屋根本体２の水下側端部よりも水下側に突出する。
【００３０】
屋根構造１では、けらばカバー３は、屋根勾配方向に長く形成され、屋根本体２の水上側端部から水下側端部までの全長に亘って設けられる。これにより、屋根本体２の妻側端部が覆われる。なお、屋根構造１では複数のけらばカバー３により屋根本体２の妻側端部を覆ってもよい。
【００３１】
本実施形態のけらばカバー３は断面形状略Ｃ字状であり、その隅部が角張って形成されているが、隅部が丸みを有して形成されてもよい。また、けらばカバー３は、円弧状に形成されてもよい。
【００３２】
けらばカバー３は、薄い金属板をプレス加工により折り曲げて形成されるが、その製造方法は限定されない。
【００３３】
カバー本体３１は、図１Ｂに示すように、下被覆部３２、外被覆部３３、上被覆部３４および縦被覆部３５を有する。
【００３４】
下被覆部３２は、破風板２４の下端よりも下側に配置される。下被覆部３２は、屋根本体２の妻側端部を下方から覆う。下被覆部３２は、屋根勾配方向に長く形成され、軒方向に短く形成される。
【００３５】
本実施形態の下被覆部３２では、図１Ｂに示すように、その内向きＤ１側の端部に水返し片３２１が設けられる。水返し片３２１は、下被覆部３２の内向きＤ１側の端部から上方に突出して設けられる。水返し片３２１では、その突出先端部が外向きＤ２側から下方に向けて折り返される。水返し片３２１では、その折り返された部分が破風板２４に接触する。
【００３６】
外被覆部３３は、下被覆部３２の外向きＤ２側の端部から上方に向けて設けられる。外被覆部３３は、屋根勾配方向に長く、上下方向に短く形成される。
【００３７】
外被覆部３３は、屋根本体２の妻側端部より外向きＤ２側の位置に配置される。外被覆部３３は、屋根本体２の妻側端部を外向きＤ２側から覆う。すなわち、外被覆部３３は、破風板２４、野地板２１２の妻側端部およびのぼり木２３を外向きＤ２側から覆う。
【００３８】
外被覆部３３には、内向きＤ１に突出する凸部３３１ａが形成される。また、凸部３３１ａは、本実施形態では、２カ所に形成されるが、その数は限定されない。
【００３９】
上被覆部３４は、外被覆部３３の上端から内向きＤ１に向かって設けられる。上被覆部３４は、屋根勾配方向に長く、軒方向に短く形成される。
【００４０】
上被覆部３４は、のぼり木２３の上端よりも上側に配置される。上被覆部３４は、のぼり木２３および屋根材２２の妻側端部を水切り部材２１４の嵌め込み部２１４ｃを介して上方から覆う。
【００４１】
縦被覆部３５は、上被覆部３４の内向きＤ１側の端部から下方に向かって突出して設けられる。縦被覆部３５は、屋根勾配方向に長く、上下方向に短く形成される。
【００４２】
縦被覆部３５は、屋根材２２の妻側端部よりも上方に位置すると共に、のぼり木２３よりも内向きＤ１側に位置する。縦被覆部３５は、のぼり木２３の内向きＤ１側の側面の上側を水切り部材２１４を介して覆う。
【００４３】
屋根構造１では、図２に示すように、縦被覆部３５の下端部と屋根本体２の上面との間には隙間３５２が形成される。すなわち、隙間３５２は、縦被覆部３５の下端部と屋根材２２の妻側端部との間に形成される。隙間３５２は、屋根勾配方向に長く形成され、上下方向に短く形成される。
【００４４】
屋根構造１において、縦被覆部３５と屋根材２２との間の隙間３５２は、けらばカバー３を屋根本体２に取り付ける際の寸法の余裕のために形成される。
【００４５】
本実施形態の隙間３５２の上下方向の長さは、約５ｍｍ〜３０ｍｍとなっているが、その長さは限定されない。
【００４６】
上記した下被覆部３２、外被覆部３３、上被覆部３４および縦被覆部３５は、屋根本体２の水下側端部よりも水下側に突出する。
【００４７】
けらばカバー３は、図１Ａに示すように、カバー本体３１に設けられる前被覆部３６、内被覆部３７を有する。
【００４８】
内被覆部３７は、下被覆部３２の水下側の部分から上方に向かって設けられる。
【００４９】
内被覆部３７は、軒樋１１の外向きＤ２側の端部よりも外向きＤ２側に配置される。内被覆部３７は、軒樋１１の外向きＤ２側の端部と対向する。また、内被覆部３７は、図３に示すように、けらばカバー３の内部空間を外部に露出させないために設けられる。
【００５０】
内被覆部３７では、図４に示すように、その上端部が縦被覆部３５の下に重なるように設けられる。すなわち、けらばカバー３の軒樋１１と対向する側面部は、上端部が縦被覆部３５と内被覆部３７とで二重に設けられ、上端部よりも下側が内被覆部３７のみで設けられる。ここで、上記側面部では、縦被覆部３５と内被覆部３７とで段差が形成される。
【００５１】
内被覆部３７の水上側の上部には、切り欠きである回避開口３７１が形成される。回避開口３７１は、図１Ａに示すように、屋根材２２、下葺き材２１３および野地板２１２の水下側端部等と内被覆部３７とが接触することを避けるために形成される。また、回避開口３７１の水下側の縁には、後述する流水受け部４が取付けられる。
【００５２】
屋根構造１では、図４に示すように、内被覆部３７と軒樋止まり１１２との間には隙間３８が形成される。隙間３８により、軒樋１１が熱で膨張した際、軒樋止まり１１２と内被覆部３７とが干渉することが抑制される。
【００５３】
前被覆部３６は、図３に示すように、下被覆部３２の水下側の端部から上方に向かって設けられる。前被覆部３６は、下被覆部３２の水下側端縁、外被覆部３３の水下側端縁、上被覆部３４の水下側端縁、縦被覆部３５の水下側端縁、内被覆部３７の水下側端縁、を周縁とする開口を塞ぐように設けられる。前被覆部３６は、けらばカバー３の内部空間を外部に露出させないために設けられる。また、前被覆部３６は、下端から上端に行く程水下側に位置するように傾斜している。
【００５４】
けらばカバー３では、上記した下被覆部３２、外被覆部３３、上被覆部３４、縦被覆部３５、内被覆部３７および前被覆部３６が一体に形成される。また、けらばカバー３は、屋根勾配方向と平行に傾斜する。
【００５５】
本実施形態のけらばカバー３の縦被覆部３５の下端部には、図１Ａに示すように、切り欠き３５１が形成される。切り欠き３５１は、屋根本体２の水下側端よりも水上側でありかつ屋根本体２の屋根勾配方向の中央よりも水下側の位置に形成される。
【００５６】
切り欠き３５１は、水切りとして機能し、縦被覆部３５の下端を水下側に伝って行く雨水を屋根材２２の上へ流下させることができる。
【００５７】
本実施形態の切り欠き３５１は、矩形状となっているが、円状、三角形状等の形状でもよくその形状は限定されない。また、切り欠き３５１は、上下方向に長い形状であることが好ましい。また、切り欠き３５１の水上側の縁の下端部は、直角になっているが、角に丸みをつけてもよい。
【００５８】
本実施形態の切り欠き３５１は、その屋根勾配方向の長さが約１０ｍｍ〜１００ｍｍ、その上下方向の長さが約５ｍｍ〜２０ｍｍとなるが、その長さは限定されない。
【００５９】
本実施形態の屋根構造１において、縦被覆部３５の表面の中間部に雨水が付着したとき、雨水は縦被覆部３５に付着したまま重量に従って下方に流下する。そして、縦被覆部３５の下端部に到達した雨水は、縦被覆部３５の下端部に付着したまま縦被覆部３５の傾斜に沿って水下側へと流下していく。
【００６０】
雨水は、図５Ａに示すように、切り欠き３５１の水上側の縁の下端部に至ると、切り欠き３５１の水上側の縁の下端部に留まる。その留まっている雨水は、次々に流下してくる雨水と結合し、大きな雨水となるため、雨水にかかる重量が大きくなる。このようにして、図５Ｂに示すように、大きくなった雨水は下方にある屋根材２２に落ち、屋根材２２を流下して軒樋１１に至る。
【００６１】
本実施形態の屋根構造１は、図１Ａに示すように、屋根本体２の水下側端とけらばカバー３の水下側端との間に配置される流水受け部４を備える。流水受け部４は、軒樋１１の上方の位置に配置される。そして、流水受け部４は、図６に示すように、縦被覆部３５の下端部に接する受け部４１と、受け部４１から水上側に突出する流水部４２と、を有する。
【００６２】
受け部４１は、図１Ａに示すように、正面視矩形状をしている。受け部４１は、側面視において、水下側へ行く程上側に位置するように傾斜している。受け部４１では、外向きＤ２側の端部の上端部が縦被覆部３５の下端部に当たっている（以下、当接部４１１とする）。
【００６３】
流水部４２は、図６に示すように、受け部４１の下端部から水上側へ突出して設けられる。流水受け部４の突出先端部は、上側から水下側へと折り返されている。流水部４２は、軒方向の内向きＤ１へ行く程下方に位置するように傾斜していることが好ましい。
【００６４】
流水部４２では、図４に示すように、その軒方向の長さが、上記した隙間３８の軒方向の長さよりも長く形成される。すなわち、流水部４２の内向きＤ１側の端部は、軒樋１１の開口の上方に位置する。
【００６５】
流水受け部４は、切り欠き３５１よりも水下側の縦被覆部３５の下端部を伝う雨水を、直接軒樋１１へと流下させることができる。従って、屋根構造１では、切り欠き３５１で屋根材２２に流下させることができない雨水を流水受け部４で直接軒樋１１に流下させることができるので、より地面に雨水が落ち難くなる。
【００６６】
本実施形態の流水受け部４は、図１Ａに示すように、けらばカバー３に取付けられているが、軒樋１１の軒樋止まり１１２に取付けられてもよい。
【００６７】
上記した屋根構造１では、縦被覆部３５の下端部に切り欠き３５１を形成することで、縦被覆部３５の下端を流れる雨水を切り欠き３５１の水上側の縁の下端部に留めることができる。そして、その留めた雨水は縦被覆部３５の下端部を流れる雨水と結合していき、雨水の重量が大きくなると、大きくなった雨水は屋根材２２の上に落ちるので、軒樋１１に雨水を流すことができる。
【００６８】
また、切り欠き３５１が形成されていないと、縦被覆部３５の下端部を伝う雨水は、けらばカバー３における縦被覆部３５の水下側先端から地面へと落ちてしまうが、切り欠き３５１により地面へと雨水が落ちることを抑制できる。
【００６９】
本実施形態の屋根構造１は、以下に示す構成を備える。
【００７０】
屋根構造１は、屋根本体２と、屋根本体２の水下側端部の下側に配置される軒樋１１と、屋根本体２の妻側端部を覆い屋根本体２の水下側端より水下側に突出しているけらばカバー３と、を備える。けらばカバー３は、屋根本体２の妻側端部を下方から覆う下被覆部３２と、屋根本体の妻側端部を側方から覆う外被覆部３３と、を有する。けらばカバー３は、屋根本体２の妻側端部を上方から覆う上被覆部３４と、上被覆部３４から下方に突出する縦被覆部３５と、を有する。縦被覆部３５の下端部と屋根本体２の上面の妻側端部との間には、隙間３５２が形成される。縦被覆部３５の下端部には、屋根本体２の水下側端よりも水上側でありかつ屋根本体２の屋根勾配方向の中央よりも水下側の位置に切り欠き３５１が設けられることを特徴とする。
【００７１】
これにより、縦被覆部３５の下端部を伝う雨水が軒樋１１に流下し易くなり、雨水が縦被覆部３５の下端部を伝って地面へと落ちることを抑制することができる。
【００７２】
また、屋根構造１は、屋根本体２の水下側端とけらばカバー３の水下側端との間に配置される流水受け部４を備える。流水受け部４は、縦被覆部３５の下端部に接し、縦被覆部３５の下端部を流下する雨水を受ける受け部４１と、受け部４１から水上側に突出し、受け部４１で受けた雨水を軒樋１１へと流す流水部４２と、を有する。
【００７３】
これにより、切り欠き３５１よりも水下側の縦被覆部３５の下端部を伝う雨水を、直接軒樋１１へと流下させることができる。
【符号の説明】
【００７４】
１      屋根構造
１１    軒樋
２      屋根本体
３      けらばカバー
３２    下被覆部
３３    外被覆部
３４    上被覆部
３５    縦被覆部
３５１  切り欠き
３５２  隙間
４      流水受け部
４１    受け部
４２    流水部
【図１】
2017043925.tif 000003
【図２】
2017043925.tif 000004
【図３】
2017043925.tif 000005
【図４】
2017043925.tif 000006
【図５】
2017043925.tif 000007
【図６】
2017043925.tif 000008